(57)【要約】【課題】コストの上昇を抑えた上で、必要に応じて紙粉取りローラを取り付け、用紙に付着した紙粉を除去することができる。【解決手段】用紙Ｐを積載する給紙カセット４４と、用紙Ｐを送出するための分離ローラ４６と、分離ローラ４６との間に用紙Ｐを挟持し摩擦力によって一枚ずつ分離する分離パッド５０と、を有する画像形成装置１０に用いられる搬送ローラ装置１６であって、軸体５２と、軸体５２の長手方向に所定の間隔をあけて固定される複数の搬送ローラ５４、５５と、搬送ローラ５４、５５を取り外すことなく軸体５２に脱着可能に設けられる紙粉取りローラ６０と、を備える構成とした。【選択図】      図３
2005112529.tif 000002
【特許請求の範囲】
【請求項１】
用紙を積載する給紙カセットと、前記用紙を送出するための分離ローラと、前記分離ローラとの間に前記用紙を挟持し摩擦力によって一枚ずつ分離する分離パッドと、を有する画像形成装置に用いられる搬送ローラ装置であって、
軸体と、前記軸体の長手方向に所定の間隔をあけて固定される複数の搬送ローラと、前記搬送ローラを取り外すことなく前記軸体に脱着可能に設けられる紙粉取りローラと、
を備えることを特徴とする搬送ローラ装置
【請求項２】
前記紙粉取りローラは、前記軸体を挟んで対向させた第１構成体と第２構成体とを互いに組み付けることによって構成され、
前記第１構成体は、前記軸体が嵌め込まれる溝と、前記第２構成体の凹部に嵌め込まれる凸部と、前記第２構成体の凸部が嵌め込まれる凹部と、を有し、
前記第２構成体は、前記軸体が嵌め込まれる溝と、前記第１構成体の前記凹部に嵌め込まれる凸部と、前記第１構成体の前記凸部が嵌め込まれる凹部と、を有することを特徴とする請求項１に記載の搬送ローラ装置。
【請求項３】
前記紙粉取りローラの前記第１構成体と前記第２構成体とは、同形状であることを特徴とする請求項２に記載の搬送ローラ装置。
【請求項４】
軸体と、前記軸体の長手方向に所定の間隔をあけて前記軸体に固定される複数の搬送ローラとを有する搬送ローラ装置に脱着可能に設けられる紙粉取りローラであって、
前記軸体を挟んで対向させた第１構成体と第２構成体とを互いに組み付けることによって構成され、
前記第１構成体は、前記軸体が嵌め込まれる溝と、前記第２構成体の凹部に嵌め込まれる凸部と、前記第２構成体の凸部が嵌め込まれる凹部と、を有し、
前記第２構成体は、前記軸体が嵌め込まれる溝と、前記第１構成体の前記凹部に嵌め込まれる凸部と、前記第１構成体の前記凸部が嵌め込まれる凹部と、を有することを特徴とする紙粉取りローラ。
【請求項５】
前記第１構成体と前記第２構成体とは、同形状であることを特徴とする請求項４に記載の紙粉取りローラ。
【発明の詳細な説明】
【技術分野】
【０００１】
本発明は、ファクシミリ、コピー等の画像形成装置において用紙の搬送を行う搬送ローラ装置及び搬送される用紙に付着した紙粉の除去を行う紙粉取りローラに関する。
【背景技術】
【０００２】
従来、電子写真方式を用いた画像形成装置は、用紙カセットに積載された用紙を搬送路へ送出する給紙装置と、給紙装置により送出された用紙を下流側へ搬送させる搬送ローラ装置とが設けられている。
給紙装置は、用紙を積載する給紙カセットと、給紙カセットの近傍に配置された分離ローラと、分離ローラの下に設けられ下から用紙に接するよう付勢部材で支持された分離パッドと、を有している。給紙装置によれば、給紙カセットに積載された最上部の用紙が分離ローラと分離パッドとの間に挟持され、分離ローラの回転により、用紙が一枚ずつ送出される。
【０００３】
一方、搬送ローラ装置は、平行に配置された一対の軸体と、各軸体に取り付けられた搬送ロールと、を有している。一方の軸体は、モータからの回転駆動力により回転するように構成されている。給紙装置から送出された用紙は、搬送ローラ装置の搬送ローラによって感光体ドラムに向けてさらに搬送される。
【特許文献１】特開２００２−３６２７７２号公報
【発明の開示】
【発明が解決しようとする課題】
【０００４】
ところで、上記画像形成装置では、用紙の送出時に分離ローラおよび分離パッドと用紙との摩擦により、用紙が擦れて紙粉が発生しやすい。紙粉は、用紙に付着したまま搬送ローラ装置で搬送され、用紙が感光体ドラムに接したときに感光体ドラムの表面に付着する。この紙粉の付着により感光体ドラム上の静電潜像が乱され、形成される画像の品質を低下させる問題があった。特に、正帯電性のトナーを用いて用紙に画像を形成する正帯電の現像システムでは、感光体ドラムに紙粉が付きやすい傾向がある。
１つの解決法として、前もって紙粉取りのためのローラを、搬送ローラ装置等に設けることが考えられるが、部品コストや、組立コストが常に上昇してしまう問題が生じる。
【０００５】
そこで、本発明は、上記事情を考慮し、コストの上昇を抑えたうえで、必要に応じて紙粉取りローラを取り付け、用紙に付着した紙粉を除去することができる搬送ローラ装置及び紙粉取りローラを提供することを目的とする。
【課題を解決するための手段】
【０００６】
請求項１に記載の発明は、用紙を積載する給紙カセットと、前記用紙を送出するための分離ローラと、前記分離ローラとの間に前記用紙を挟持し摩擦力によって一枚ずつ分離する分離パッドと、を有する画像形成装置に用いられる搬送ローラ装置であって、軸体と、前記軸体の長手方向に所定の間隔をあけて固定される複数の搬送ローラと、前記搬送ローラを取り外すことなく前記軸体に脱着可能に設けられる紙粉取りローラと、を備えることを特徴とする。
【０００７】
請求項１に記載の発明によれば、給紙カセットに積載された用紙の一部が分離ローラと分離パッドとの間に挟持され、分離ローラの回転により用紙が一枚ずつ分離される。これにより用紙が確実に一枚ずつ送出される。一枚ずつ送出された用紙は、搬送ローラ装置に向かって搬送される。搬送ローラ装置に達すると、用紙は軸体に取り付けられた搬送ローラに接触して搬送ローラの回転駆動力によりさらに下流に搬送される。
ここで、分離パッドが設けられている画像形成装置では、軸体に紙粉取りローラを予め取り付けておき、搬送ローラと同期して回転させる。この紙粉取りローラが用紙に接触することにより、用紙に付着した紙粉が用紙から取り除かれる。
以上のように、本発明の画像形成装置によれば、紙粉取りローラを複数の搬送ローラを取り外すことなく軸体に容易に後付けすることができ、この紙粉取りローラにより用紙に付着した紙粉を除去することができる。
【０００８】
請求項２に記載の発明は、請求項１に記載の搬送ローラ装置において、前記紙粉取りローラは、前記軸体を挟んで対向させた第１構成体と第２構成体とを互いに組み付けることによって構成され、前記第１構成体は、前記軸体が嵌め込まれる溝と、前記第２構成体の凹部に嵌め込まれる凸部と、前記第２構成体の凸部が嵌め込まれる凹部と、を有し、前記第２構成体は、前記軸体が嵌め込まれる溝と、前記第１構成体の前記凹部に嵌め込まれる凸部と、前記第１構成体の前記凸部が嵌め込まれる凹部と、を有することを特徴とする。
【０００９】
請求項２に記載の発明によれば、紙粉取りローラを軸体に固定するには、第１構成体と第２構成体とで軸体を挟んで対向させ、第１構成体の溝に軸体を嵌め込み、第２構成体の溝に軸体を嵌め込むようにして第１構成体の凹部に第２構成体の凸部を嵌め込み、第２構成体の凹部に第１構成体の凸部を嵌め込む。これにより、第１構成体と第２構成体とは組み合わされて１個の紙粉取りローラとなって軸体に固定される。このように、紙粉取りローラを軸体に容易に後付けすることができる。
【００１０】
請求項３に記載の発明は、請求項２に記載の搬送ローラ装置において、前記紙粉取りローラの前記第１構成体と前記第２構成体とは、同形状であることを特徴とする。
【００１１】
請求項３に記載の発明によれば、第１構成体と第２構成体とを同じ形状としたことにより、部品種類を増やすことがなく製造コストが抑えられる。
【００１２】
請求項４に記載の発明は、軸体と、前記軸体の長手方向に所定の間隔をあけて前記軸体に固定される複数の搬送ローラとを有する搬送ローラ装置に脱着可能に設けられる紙粉取りローラであって、前記軸体を挟んで対向させた第１構成体と第２構成体とを互いに組み付けることによって構成され、前記第１構成体は、前記軸体が嵌め込まれる溝と、前記第２構成体の凹部に嵌め込まれる凸部と、前記第２構成体の凸部が嵌め込まれる凹部と、を有し、前記第２構成体は、前記軸体が嵌め込まれる溝と、前記第１構成体の前記凹部に嵌め込まれる凸部と、前記第１構成体の前記凸部が嵌め込まれる凹部と、を有することを特徴とする。
【００１３】
請求項４に記載の発明によれば、紙粉取りローラを軸体に固定するには、第１構成体と第２構成体とで軸体を挟んで対向させ、第１構成体の溝に軸体を嵌め込み、第２構成体の溝に軸体を嵌め込むようにして第１構成体の凹部に第２構成体の凸部を嵌め込み、第２構成体の凹部に第１構成体の凸部を嵌め込む。これにより、第１構成体と第２構成体とは組み合わされて１個の紙粉取りローラとなって軸体に固定される。このように、紙粉取りローラを軸体に容易に後付けすることができる。
また、分離パッドが設けられている画像形成装置では、軸体に紙粉取りローラを予め取り付けておき、搬送ローラと同期して回転させる。紙粉取りローラが用紙に接触することにより、用紙に付着した紙粉を取り除くことができる。
【００１４】
請求項５に記載の発明は、請求項４に記載の紙粉取りローラにおいて、前記第１構成体と前記第２構成体とは、同形状であることを特徴とする。
【００１５】
請求項５に記載の発明によれば、第１構成体と第２構成体とを同じ形状としたことにより、部品種類を増やすことがなく製造コストが抑えられる。
【発明の効果】
【００１６】
請求項１に記載の発明は、紙粉取りローラを複数の搬送ローラを取り外すことなく軸体に容易に後付けすることができ、この紙粉取りローラにより用紙に付着した紙粉を除去することができる。
【００１７】
請求項２に記載の発明は、第１構成体と第２構成体とは組み合わされて１個の紙粉取りローラとなって軸体に固定され、紙粉取りローラを軸体に容易に後付けすることができる。
【００１８】
請求項３に記載の発明は、第１構成体と第２構成体とを同じ形状としたことにより、部品種類を増やすことがなく製造コストが抑えられる。
【００１９】
請求項４に記載の発明は、第１構成体と第２構成体とは組み合わされて１個の紙粉取りローラとなって軸体に固定され、紙粉取りローラを軸体に容易に後付けすることができる。また、紙粉取りローラが用紙に接触することにより、用紙に付着した紙粉を取り除くことができる。
【００２０】
請求項５に記載の発明は、第１構成体と第２構成体とを同じ形状としたことにより、部品種類を増やすことがなく製造コストが抑えられる。
【発明を実施するための最良の形態】
【００２１】
次に、本発明の第１実施形態に係る搬送ローラ装置及び紙粉取りローラについて、図面を参照して説明する。
【００２２】
図１に示すように、この画像形成装置１０の下部には給紙装置１２が配置されている。給紙装置１２の出口から用紙Ｐを搬送するための搬送路１４が設けられている。給紙装置１２は、用紙Ｐを積載する給紙カセット４４と、給紙カセット４４の下流側に最上部の用紙Ｐに接するよう設けた分離ローラ４６と、用紙Ｐを摩擦力によって一枚ずつ分離するための分離パッド５０とから構成されている。給紙装置１２の下流側には、用紙Ｐを搬送する搬送ローラ装置１６が配置されている。
【００２３】
図２に、搬送路１４の搬送ローラ装置１６の上流側から用紙Ｐの進行方向（図１矢印Ａ方向）を見た場合の搬送ローラ装置１６の構成を示す。
第１軸体５２は駆動軸であり、搬送路１４の下側で用紙の進行方向（図１矢印Ａ方向）と直角方向（図１紙面方向）に配置されている。レジストローラ５４、５５は、第１軸体５２の長手方向に所定の間隔をあけて固定され、搬送路１４を通る用紙にレジストローラ５４の外周が接する位置に配置されている。紙粉取りローラ６０は、第１軸体５２に固定されているレジストローラ５４、５５の間に装着され、搬送路１４を通る用紙に紙粉取りローラ６０の外周が接する位置に配置されている。図３に示すように、紙粉取りローラ６０は、第１軸体５２を挟んで対向させた第１構成体６４と第２構成体６６とを互いに組み付けることによって構成されている。
【００２４】
図４に示すように、第１構成体６４は、円筒の軸心を通る平面で分割された半円筒形状の本体部６８を備えている。この本体部６８の軸心には、第１軸体５２が嵌まり込む溝７０が形成されている。
本体部６８の長手方向に延びる一方の平面７２上には、この面から突出し、先端部が鉤爪状の爪部７４が形成されている。本体部６８の長手方向に延びる他方の平面７３上には、本体部６６の爪部７５とかみ合う爪嵌合穴７６が形成されている。また、平面７２上には、垂直に突出させた位置決めピン７８が形成されている。また、平面７３上には、第２構成体６６の位置決めピン７９が挿通する位置決めピン穴８０が形成されている。
一方、第２構成体６６は、円筒の軸心を通る平面で分割された半円筒形状の本体部６７を備えている。この本体部６７の軸心には、第１軸体５２が嵌まり込む溝（図示省略）が形成されている。
本体部６７の長手方向に延びる一方の平面（図示省略）上には、この面から突出し、先端部が鉤爪状の爪部７５が形成されている。本体部６７の長手方向に延びる他方の平面（図示省略）上には、本体部６８の爪部７４とかみ合う爪嵌合穴７７が形成されている。また、一方の平面上には、垂直に突出させた位置決めピン７９が形成されている。また、他方の平面上には、第１構成体６４の位置決めピン７８が挿通する位置決めピン穴８１が形成されている。
このように、第１構成体６４と第２構成体６６とは、同じ形状に形成されている。
【００２５】
第２軸体５６、５７は無駆動であり、搬送路１４の上側で、第１軸体５２に平行に配置されている。従動レジストローラ５８、５９は、レジストローラ５４、５５に対向させた位置で、第２軸体５６、５７に固定されている。
紙粉ブラシ６２は、紙粉取りローラ６０から紙粉を掻き落すためのブラシであり、ブラシの先端を紙粉取りローラ６０に接触させている。
【００２６】
搬送ローラ装置１６の下流側には、記録装置１８が配置されている。記録装置１８は、感光体ドラム２０の周囲に配置されたＥＲＳブラシ２２と、帯電器２４と、書込装置２６と、現像ローラ２８と、転写ローラ３０と、から構成されている。現像ローラ２８の近傍には、トナーを現像ローラ２８の表面に供給する供給ローラ３２が配置されている。また、供給ローラ３２の近傍には、供給ローラ３２に供給するためのトナーを収容するトナー収容箱３４が配置されている。
帯電器２４は放電により感光体ドラム２０の表面を帯電させ、書込装置２６からレーザー光が照射されて静電潜像が形成される。さらに、現像ローラ２８からトナーを供給して感光体ドラム２０の表面に付着させ、トナー画像として可視化される。このように形成されたトナー画像は用紙Ｐに転写される。
【００２７】
記録装置１８の搬送路１４の下流には、用紙Ｐに転写されたトナー画像を加熱して用紙Ｐに定着させる定着ローラ３６と加熱ローラ３８とが配置されている。
さらに下流には用紙Ｐを排出させる排紙ローラ４０が配置されており、用紙Ｐは排紙ローラ４０により排出トレイ４２に向けて排出される。
【００２８】
次に、本発明の第１実施形態に係る搬送ローラ装置１６及び紙粉取りローラ６０の作用について、図面を参照して説明する。
【００２９】
図１に示すように、給紙装置１２は、給紙カセット４４に積載された用紙Ｐの上側から給紙方向（図１矢印Ｘ方向）に回転する分離ローラ４６を用紙Ｐに押圧し、同時に、用紙Ｐの下側から付勢部材４８の弾性反力により分離パッド５０を用紙Ｐに押圧し、用紙Ｐと分離パッド５０の間に生じる摩擦力によって用紙Ｐを捌きながら送出させる。これらにより用紙Ｐが確実に一枚ずつ送出される。
搬送ローラ装置１６は、第１軸体５２を用紙Ｐが搬送される方向（図１矢印Ｙ方向）に駆動させることによって、これに固定されている複数個のレジストローラ５４、５５が同方向に回転する。また、第２軸体５６、５７に固定されている従動レジストローラ５８、５９は、レジストローラ５４、５５に接触しているので回転力が伝達され、用紙Ｐが搬送される方向（図１矢印Ｚ方向）に回転する。
給紙装置１２から送出された用紙Ｐは、搬送路１４へ送られ回転しているレジストローラ５４、５５と従動レジストローラ５８、５９とで挟持され、両ローラ５４、５５、５８、５９の回転により、さらに搬送路１４の下流側へ搬送される。
【００３０】
このとき、第１軸体５２に固定してある紙粉取りローラ６０は、レジストローラ５４、５５と同期して回転しながら用紙Ｐに接触する。これにより紙粉は用紙Ｐから掻き落とされて取り除かれる。特に、正帯電性のトナーを用いて用紙Ｐに画像を形成する正帯電の現像システムでは、感光体ドラム２０への紙粉の付着を効果的に防止することができる。
また、紙粉取りローラ６０の外周面に付着した紙粉は、紙粉ブラシ６２により取り除かれる。これにより、紙粉取りローラ６０の外周面から用紙Ｐに紙粉が付着することを防止できる。
【００３１】
ここで、紙粉取りローラ６０を第１軸体５２に固定するには、第１構成体６４の溝７０と第２構成体６５の溝（図示省略）で第１軸体５２を挟み、第１構成体６４の爪嵌合穴７６に第２構成体６６の爪部７５を嵌め込み、第２構成体６６の爪嵌合穴７７に第１構成体６４の爪部７４を嵌め込む。このとき、位置決めピン７８が位置決めピン穴８１に挿通され、位置決めピン７９が位置決めピン穴８０に挿通されて、第１構成体６４が第２構成体６６に対して位置決めされる。これにより、第１構成体６４と第２構成体６６とは組み合わされて、１個の紙粉取りローラ６０となって第１軸体５２に固定される。
このように、紙粉取りローラ６０は、分割可能としたことで第１軸体５２に固定されている複数のレジストローラ５４、５５を取り外すことなく容易に装着させることができる。よって、給紙装置１２に分離パッド５０を用いて紙粉の発生が予想されるときだけ、後付けで簡単に搬送ローラ装置１６に紙粉取りローラ６０を装着することができ、搬送ローラ装置１６のコストが抑えられる。特に、紙粉取りローラ６０の各構成体６４、６６を同形状としたことで部品種類を増やすことがなく、製造コストや、金型のコスト等が抑えられる。
【００３２】
次に、本発明の第２実施形態に係る搬送ローラ装置及び紙粉取りローラについて、図面を参照して説明する。なお、第２実施形態では、紙粉取りローラが第１実施形態の紙粉取りローラと異なるので、紙粉取りローラのみについて説明する。
【００３３】
図５に示すように、本実施形態の紙粉取りローラ８２は、第１軸体５２を挟んで対向させた第１構成体８４と第２構成体８６を互いに組み付けることによって構成される。
図６に示すように、第１構成体８４は、円筒の軸心を通る平面で分割された半円筒形状の本体部８８を備えている。この本体部８８の軸心には、第１軸体５２が嵌め込まれる溝９０が形成されている。
本体部８８の長手方向に延びる一方の平面９２上には、断面Ｔ字型の結合突条９４が長手方向に亘って形成されている。
本体部８８の長手方向に延びる他方の平面９３上には、溝断面Ｔ字型の凹溝９６が長手方向に亘って形成されている。
一方、第２構成体８６は、円筒の軸心を通る平面で分割された半円筒形状の本体部１１０を備えている。この本体部１１０の軸心には、第１軸体５２が嵌め込まれる溝９１が形成されている。
本体部１１０の長手方向に延びる一方の平面９９上には、断面Ｔ字型の結合突条９５が長手方向に亘って形成されている。
本体部１１０の長手方向に延びる他方の平面１０１上には、溝断面Ｔ字型の凹溝９７が長手方向に亘って形成されている。
このように、第１構成体８４と第２構成体８６とは、同じ形状に形成されている。
【００３４】
本発明の第２実施形態の搬送ローラ装置及び紙粉取りローラの作用について説明する。
【００３５】
紙粉取りローラ８２は、結合突条９４が凹溝９７に、結合突条９５が凹溝９６に、それぞれ長手方向にスライドさせて互いに組み込むことにより、第１軸体５２に固定されている複数のレジストローラ５４、５５を取り外すことなく容易に第１軸体５２に取り付けることができる。このため、本実施形態の紙粉取りローラ８２も容易に後付けすることができる。
特に、第１実施形態の紙粉取りローラ６０に比べ、各構成体８４、８６の結合突条９４、９５が紙粉取りローラ８２の長手方向に亘って形成されていることにより、各構成体８４、８６の結合強度が向上し、紙粉取りローラ８２の耐久性を向上させることができる。また、紙粉取りローラ８２のゆがみや結合面での段違いが生じにくく、紙粉取りの機能を安定させることができる。
【００３６】
次に、本発明の第３実施形態に係る搬送ローラ装置及び紙粉取りローラについて、図面を参照して説明する。なお、第３実施形態では、紙粉取りローラが第１実施形態の紙粉取りローラと異なるので、紙粉取りローラのみについて説明する。
【００３７】
図７に示すように、本実施形態の紙粉取りローラ９８は、第１軸体５２を挟んで対向させた第１構成体１００と第２構成体１０２とを互いに組み付けることによって構成される。また、紙粉取りローラ９８の外周部にはブラシ１０４，１０５が設けられている。また、紙粉取りローラ９８のブラシ１０４、１０５から紙粉を除去するためのフリッカ１０６がブラシ１０４の毛先に当たる位置に配置されている。
【００３８】
本発明の第３実施形態の搬送ローラ装置及び紙粉取りローラの作用について説明する。
【００３９】
紙粉取りローラ９８のブラシ１０４、１０５が回転して用紙Ｐに接することにより用紙Ｐから紙粉を掻き落とすことができる。また、フリッカ１０６でブラシ１０４の先端部を弾くことにより、紙粉をブラシ１０４、１０５から落下させることができる。これにより、一度用紙Ｐから除去された紙粉が再度用紙Ｐに付着することを防止できる。
【００４０】
なお、上記各実施形態では、紙粉取りローラ６０、８２、９８がレジストローラ５４、５５が取り付けられている第１軸体５２に装着されている形態を示したが、これに限られるものではなく、その他の搬送ローラが取り付けられている軸体に装着してもよい。
【図面の簡単な説明】
【００４１】
【図１】本発明の搬送ローラ装置が用いられる画像形成装置の全体構成図である。
【図２】本発明の第１実施形態に係る搬送ローラ装置の構成図である。
【図３】本発明の第１実施形態に係る搬送ローラ装置の組立図である。
【図４】本発明の第１実施形態に係る紙粉取りローラを構成する構成体の斜視図である。
【図５】本発明の第２実施形態に係る紙粉取りローラの斜視図である。
【図６】本発明の第２実施形態に係る紙粉取りローラの組立図である。
【図７】本発明の第３実施形態に係る紙粉取りローラの構成図である。
【符号の説明】
【００４２】
１０    画像形成装置
１６    搬送ローラ装置
４４    給紙カセット
４６    分離ローラ
５０    分離パッド
５２    第１軸体（軸体）
５４    レジストローラ（搬送ローラ）
５５    レジストローラ（搬送ローラ）
６０    紙粉取りローラ
６４    第１構成体
６６    第２構成体
７０    溝
７４    爪部（凸部）
７５    爪部（凸部）
７６    爪嵌合穴（凹部）
７７    爪嵌合穴（凹部）
７８    位置決めピン（凸部）
７９    位置決めピン（凸部）
８０    位置決めピン穴（凹部）
８１    位置決めピン穴（凹部）
【図１】
2005112529.tif 000003
【図２】
2005112529.tif 000004
【図３】
2005112529.tif 000005
【図４】
2005112529.tif 000006
【図５】
2005112529.tif 000007
【図６】
2005112529.tif 000008
【図７】
2005112529.tif 000009